(57)【要約】【課題】田植え等の泥水中での作業において着用する防水長靴において、足の血行を促進することによって、作業に支障を来さず、健康上も好ましいものを提供する。【解決手段】主として、泥水中での作業において着用する防水長靴であって、ゴムや塩ビなどの軟質高分子材料で形成した長靴本体部１２の内面に、メリヤス製の靴下部１３を設けると共に、上端部に伸縮性素材で形成した緊締部１４を設けて構成し、ふくらはぎ部１７の所定部分に、マイナスイオン及び遠赤外線，又は磁力を放出する血流活性化ブロック１１を、靴下部１３と長靴本体部１２との間において、靴下部１３の内面を面一とし、かつ、長靴本体部１２を外側に突出させた状態で設ける。【選択図】        図１
2006297058.tif 000002
【特許請求の範囲】
【請求項１】
主として，泥水中での作業において着用する防水長靴であって、ふくらはぎ部（１７）及び足首部（１８）に，マイナスイオン及び遠赤外線，又は磁力を放出する血流活性化ブロック（１１）を所望数，内側に突出させないで設けてなることを特徴とする防水長靴。
【請求項２】
主として，泥水中での作業において着用する防水長靴であって、ゴムや塩ビなどの軟質高分子材料で形成した長靴本体部（１２）の内面に，メリヤス製の靴下部（１３）を設けると共に，上端部に伸縮性素材で形成した緊締部（１４）を設けて構成し、ふくらはぎ部（１７）及び足首部（１８）の所定部分に，マイナスイオン及び遠赤外線，又は磁力を放出する血流活性化ブロック（１１）を，前記靴下部と長靴本体部（１２）との間において，前記靴下部の内面を面一とし，かつ，前記長靴本体部を外側に突出させた状態で設けてなることを特徴とする防水長靴。
【請求項３】
主として，泥水中での作業において着用する防水長靴であって、ゴムや塩ビなどの軟質高分子材料で形成した長靴本体部（１２）の内面に，メリヤス製の靴下部（１３）を設けると共に，上端部に伸縮性素材で形成した緊締部（１４）を設けて構成し、ふくらはぎ部（１７）及び足首部（１８）の所定部分に，マイナスイオン及び遠赤外線，又は磁力を放出する血流活性化ブロック（１１）を，前記長靴本体部の外面と該外面に設ける高分子材料製の覆い片（１５）との間に，前記靴下部の内面を面一とし，かつ，前記覆い片を外側に突出させた状態で設けてなることを特徴とする防水長靴。
【請求項４】
主として，泥水中での作業において着用する防水長靴であって、ゴムや塩ビなどの軟質高分子材料で形成した長靴本体部（１２）の内面に，メリヤス製の靴下部（１３）を設けると共に，上端部に伸縮性素材で形成した緊締部（１４）を設けて構成し、ふくらはぎ部（１７）及び足首部（１８）の所定部分に，マイナスイオン及び遠赤外線，又は磁力を放出する血流活性化ブロック（１１）を，前記靴下部の内面と該内面に設ける柔軟材製の被せ片（１６）との間に，前記被せ片の内面を面一とし，かつ，前記靴下部および長靴本体部を外側に突出させた状態で設けてなることを特徴とする防水長靴。
【請求項５】
マイナスイオン及び遠赤外線を放出する，又は磁力を放出する粉粒体を混合した弾性合成樹脂又はゴムで血流活性化ブロック（１１）を構成したことを特徴とする請求項１〜４のいずれかに記載の防水長靴。
【請求項６】
マイナスイオン及び遠赤外線を放出する血流活性化ブロック（１１）が、ゲルマニウムより成ることを特徴とする請求項１〜５のいずれかに記載の防水長靴。
【請求項７】
磁力を放出する血流活性化ブロック（１１）が、磁石より成ることを特徴とする請求項１〜５のいずれかに記載の防水長靴。
【請求項８】
マイナスイオン及び遠赤外線を放出する血流活性化ブロック（１１）が、セラミックス遠赤外線放射材料の粉末と、自然放射性元素のトリウム又はウランを含有する放射性鉱物の粉末との混合物より成ることを特徴とする請求項１〜５のいずれかに記載の防水長靴。
【発明の詳細な説明】
【技術分野】
【０００１】
本発明は、例えば、田植え等の泥水中での作業において着用する防水長靴に関するものである。
【背景技術】
【０００２】
従来から、田植え等の泥水中での作業を行う場合に、防水長靴が着用されている。この防水長靴は、一般に、ゴムや塩ビ等の伸縮性に富む材料で形成された長靴本体部と、その内面に設けられた柔軟性に富む靴下部とで形成されている。また、泥水中での作業時に脱げることがないように、足に密着するように構成されている。
【発明の開示】
【発明が解決しようとする課題】
【０００３】
この従来の防水長靴は作業中に脱げてしまうことは少ないものの、足に密着しているので、特に長時間の作業においては足の血行が阻害されて作業に支障を来たすと共に、健康上も好ましくないといった問題がある。また、泥水中での作業は足を冷やすので、健康上好ましくなく、それについても改善の余地が残されている。
【０００４】
本発明はこうした問題に鑑み創案されたもので、田植え等の泥水中での作業において着用する防水長靴において、足の血行を促進することによって、作業に支障を来さず、健康上も好ましいものを提供することを課題とする。
【課題を解決するための手段】
【０００５】
図１乃至図５を参照して説明する。請求項１に記載の発明は、主として、泥水中での作業において着用する防水長靴であって、ふくらはぎ部１７及び足首部１８に、マイナスイオン及び遠赤外線，又は磁力を放出する血流活性化ブロック１１を、内側に突出させないで設けてなることを特徴とするものである。
【０００６】
請求項２に記載の発明は、主として、泥水中での作業において着用する防水長靴であって、ゴムや塩ビなどの軟質高分子材料で形成した長靴本体部１２の内面に、メリヤス製の靴下部１３を設けると共に、上端部に伸縮性素材で形成した緊締部１４を設けて構成し、ふくらはぎ部１７及び足首部１８の所定部分に、マイナスイオン及び遠赤外線，又は磁力を放出する血流活性化ブロック１１を、前記靴下部１３と長靴本体部１２との間において、前記靴下部１３の内面を面一とし、かつ、前記長靴本体部１２を外側に突出させた状態で設けてなることを特徴とするものである。なお、ふくらはぎ部１７及び足首部１８の所定部分とは、例えば、血行の促進を最も効果的に促すことのできる部分（いわゆるツボ）を言う。
【０００７】
請求項３に記載の発明は、主として、泥水中での作業において着用する防水長靴であって、ゴムや塩ビなどの軟質高分子材料で形成した長靴本体部１２の内面に、メリヤス製の靴下部１３を設けると共に、上端部に伸縮性素材で形成した緊締部１４を設けて構成し、ふくらはぎ部１７及び足首部１８の所定部分に、マイナスイオン及び遠赤外線，又は磁力を放出する血流活性化ブロック１１を、前記長靴本体部１２の外面と当該外面に設ける高分子材料製の覆い片１５との間に、前記靴下部１３の内面を面一とし、かつ、前記覆い片１５を外側に突出させた状態で設けてなることを特徴とするものである。
【０００８】
請求項４に記載の発明は、主として、泥水中での作業において着用する防水長靴であって、ゴムや塩ビなどの軟質高分子材料で形成した長靴本体部１２の内面に、メリヤス製の靴下部１３を設けると共に、上端部に伸縮性素材で形成した緊締部１４を設けて構成し、ふくらはぎ部１７及び足首部１８の所定部分に、マイナスイオン及び遠赤外線，又は磁力を放出する血流活性化ブロック１１を、前記靴下部１３の内面と当該内面に設ける柔軟材製の被せ片１６との間に、前記被せ片１６の内面を面一とし、かつ、前記靴下部１３および長靴本体部１２を外側に突出させた状態で設けてなることを特徴とするものである。
【０００９】
請求項５の発明は、請求項１〜４のいずれかに記載の発明において、マイナスイオン及び遠赤外線を放出する，又は磁力を放出する粉粒体を混合した弾性合成樹脂又はゴムで血流活性化ブロック１１を構成したことを特徴とするものである。
【００１０】
請求項６の発明は、請求項１〜５のいずれかに記載の発明において、マイナスイオン及び遠赤外線を放出する血流活性化ブロック１１が、ゲルマニウムより成ることを特徴とするものである。
【００１１】
請求項７の発明は、請求項１〜５のいずれかに記載の発明において、磁力を放出する血流活性化ブロック１１が、磁石より成ることを特徴とするものである。
【００１２】
請求項８の発明は、請求項１〜５のいずれかに記載の発明において、マイナスイオン及び遠赤外線を放出する血流活性化ブロック１１が、セラミックス遠赤外線放射材料の粉末と、自然放射性元素のトリウム又はウランを含有する放射性鉱物の粉末との混合物より成ることを特徴とするものである。
【発明の効果】
【００１３】
マイナスイオン及び遠赤外線は、体内の電流に働き掛け、人体の血行促進に役立つ。また磁力も身体のツボを刺激して人体の血行を促進させる。
【００１４】
請求項１に記載の防水長靴１０は、そのふくらはぎ部１７に、マイナスイオン及び遠赤外線，又は磁力を放出する血流活性化ブロック１１を、内側に突出させないで設けたので、当該血流活性化ブロック１１のはたらきによってふくらはぎ部１７及び足首部１８のツボなどを刺激して血行を促進することができる。従って、防水長靴１０を着用することによって阻害され易い血行が促進され、作業に支障を来さず、また、健康上も好ましい。また、血行が促進されることによって、足が暖められ、これも健康上好ましい。
【００１５】
さらに、この血流活性化ブロック１１は内側に突出させないで設けているので、装着した足に当たっていわゆる靴擦れを起こす等して、当該足を傷めてしまうこともなく、きわめて履き心地に優れる。
【００１６】
また、血流活性化ブロック１１は、ふくらはぎ部１７及び足首部１８のいわゆるツボに当たる部分を選定して設けられているので、例えば、防水長靴の全体に設けられているものと異なり、当該血流活性化ブロック１１によって歩行が困難になるといったことはない。従って、通常の防水長靴と同様に容易に着用して使用することができる。
【００１７】
請求項２に記載の防水長靴１０は、請求項１に記載の発明と同様に、血流活性化ブロック１１のはたらきによって血行を促進するので、作業の支障を来さず、健康上も好ましい。
【００１８】
また、血流活性化ブロック１１を、靴下部１３と長靴本体部１２との間において、靴下部１３の内面を面一とし、かつ、長靴本体部１２を外側に突出させた状態で設けているので、血流活性化ブロック１１によって突出した靴下部１３が足に当たり、その足を傷めてしまうといったことがなく、履き心地に優れる。
【００１９】
なお、この防水長靴１０は、ゴムや塩ビなどの高分子材料で形成した長靴本体部１２によって防水性を確保し、メリヤス製の靴下部１３によって履き心地を高めている。また、伸縮素材で形成した緊締部１４を足に密着させ、その部分から泥水が浸入するのを未然に防止している（なお、この防水長靴１０は、この緊締部１４を設けないで形成することもできるし、ふくらはぎ内側にファスナーを配置し、開閉口を構成する場合もある）。
【００２０】
請求項３に記載の防水長靴１０は、請求項１および２に記載の発明と同様に、血流活性化ブロック１１のはたらきによって血行を促進し、作業の支障を来すことを防止し、健康上も好ましい。
【００２１】
また、血流活性化ブロック１１を、長靴本体部１２の外面とその外面に設ける高分子材料製の覆い片１５との間に、靴下部１３の内面を面一とし、かつ、覆い片１５を外側に突出させた状態で設けているので、血流活性化ブロック１１によって突出した靴下部１３が足に当たって当該足を傷めるといったことがない。
【００２２】
請求項４に記載の防水長靴１０は、請求項１乃至３に記載の発明と同様に、血流活性化ブロック１１の作用によって血行を促進するので、作業の支障を来すことが防止され、健康上の面からも好ましい。
【００２３】
また、血流活性化ブロック１１を、靴下部１３の内面とその内面に設ける柔軟材製の被せ片１６との間に、当該被せ片１６の内面を面一とし、かつ、靴下部１３および長靴本体部１２を外側に突出させた状態で設けているので、血流活性化ブロック１１によって突出した被せ片１６が足に当たることがない。従って、足を傷めることがなく、履き心地が良い。
【００２４】
請求項５の発明は、請求項１〜４のいずれかの発明において、マイナスイオン及び遠赤外線を放出する，又は磁力を放出する粉粒体を混合した弾性合成樹脂又はゴムで血流活性化ブロック１１を構成したので、所望の放出量及びサイズの血流活性化ブロックを容易に得ることが出来る。
【００２５】
請求項６の発明は、請求項１〜５のいずれかに記載の発明において、マイナスイオン及び遠赤外線を放出する血流活性化ブロック１１を、ゲルマニウムにより構成したので、請求項１〜５の発明と同種の効果を有する。
【００２６】
請求項７の発明は、請求項１〜５のいずれかの発明において、磁力を放出する血流活性化ブロック１１を磁石により構成したので、請求項１〜５の発明と同種の効果を有する。
【００２７】
請求項８の発明は、請求項１〜５のいずれかの発明において、マイナスイオン及び遠赤外線を放出する血流活性化ブロック１１を、セラミックス遠赤外線放射材料の粉末と、自然放射性元素のトリウム又はウランを含有する放射性鉱物の粉末との混合物により構成したので、請求項１〜５の発明と同種の効果を有する。
【発明を実施するための最良の形態】
【００２８】
本発明に係る防水長靴１０の第一実施形態を、図１および図２に示す。これは、田植え等における泥水中での作業において着用する防水長靴１０であり、ゴム製の長靴本体部１２の内面に、メリヤス製の靴下部１３を設けると共に、上端部に伸縮性素材で形成した緊締部１４を設けている。
【００２９】
長靴本体部１２は、ゴムの他に、塩ビ等の高分子材料で形成することができる。また、靴下部１３は、ナイロン、エステル、綿などの糸でメリヤス編みした素材や、メリヤス状の生地を縫い合わせて靴下状とした素材によって形成することができる。また、緊締部１４は、メリヤスにゴムを編み込んだ素材や、発泡スポンジにメリヤス状の生地をラミネートした素材などで形成することができる。
【００３０】
なお、長靴本体部１２の爪先部とかかと部は、同じゴムで形成し、かつ、その肉厚を大きくして補強している。また、底材を設けている。この防水長靴１０は、爪先部を丸く形成した先丸型と、親指部を設けた指付型に形成することができる。
【００３１】
そして、ふくらはぎ部１７及び足首部１８の血行の促進を最も効果的に促す部分（ツボ）に、円形で薄板状の血流活性化ブロック１１を上下に二つ設けている。この血流活性化ブロック１１は、靴下部１３と長靴本体部１２との間に、靴下部１３の内面を面一とし、かつ、長靴本体部１２を外側に突出させた状態で設けている。
【００３２】
この第一実施形態に係る防水長靴１０は、二つの血流活性化ブロック１１のはたらきによって足の血行が促進される。従って、防水長靴１０が密着して血行が阻害され易い足の血行が当該血流活性化ブロック１１によって促進されて、動き易くなり、泥水中での作業性が向上する。また、血行が促進されることにより、足が暖められ、健康上も好ましい。さらに、靴下部１３の内面を、血流活性化ブロック１１によって突出させることなく面一としているので、突出部分が足に当たって当該足を傷めることがない。従って、履き心地に優れる。
【００３３】
なお、この防水長靴１０は、着用して泥水中を歩行する際、泥水中の吸着力が靴を引っ張ろうとする力として強く作用するため、できるだけ足に密着するように形成している。特に、緊締部１４を設けている履き口部１９からふくらはぎ部１７にかけては、実際の足よりやや小さめに形成しており、足に対する密着性を、長靴本体部１２の形成材料の高い伸縮性によって、より現出されるようにしている。
【００３４】
また、足首部１８の周辺は、実際の足首より若干大きく形成している。防水長靴１０の全体を実際の足より小さく形成すると、泥水中における歩行時に泥水の圧力により、特につま先から足首部１８の周りが真空状態となって足に強く密着する。そして、泥水中から出た後もその密着状態が続くため、非常に脱ぎ難い状況が生ずるからである。
【００３５】
なお、実際にこの防水長靴１０を着用して泥水中で作業を行う際には、足首部１８の周辺を若干大きめに形成しているため、場合によっては、輪ゴム状の締具２を靴底部から足首部１８に巻いて泥水中での脱げを防止することもある。その場合、締具２によって当該防水長靴１０が足により密着するので、それに伴い、血流活性化ブロック１１も足により密着し、これにより血行の促進をさらに効果的に促すことができる。
【００３６】
この防水長靴１０は、次のようにして成形することができる。すなわち、まず、靴下部１３の胴部分に、未加硫ゴムシートを貼り付け、あるいは液状ゴムを塗布した後、乾燥させて胴部分を形成する。次に、爪先部、その側面部分、およびかかと部を補強ゴムで貼り付けると共に、底ゴムも貼り付ける。また、必要に応じてふくらはぎ部の内側にファスナーを配置し、開閉口を設ける場合もある。そして、足首部分の大きい足金型１に嵌着した状態で熱加硫成形するが、その際、ふくらはぎ部１７及び足首部１８の血行促進のツボに当たる位置に血流活性化ブロック１１を、靴下部１３と長靴本体部１２との間に配置する。この熱加硫成形によって、血流活性化ブロック１１の配置部分に対応する靴下本体部のゴムは、熱可塑変形して外側に突出するが、足金型１に当接している靴下部１３の内面は、突出することなく面一に形成される。
【００３７】
本発明に係る防水長靴１０の第二実施形態を、図１および図３に示す。本実施形態に係る防水長靴１０も、田植え等の泥水中での作業において着用するものであり、ゴムや塩ビなどの軟質高分子材料で形成した長靴本体部１２の内面に、メリヤス製の靴下部１３を設け、その上端部に伸縮性素材で形成した緊締部１４を設けて構成している。
【００３８】
そして、ふくらはぎ部１７及び足首部１８の所定部分に、複数の血流活性化ブロック１１を、長靴本体部１２の外面とその外面に設けるゴムや塩ビなどの高分子材料で成形した覆い片１５との間に、靴下部１３の内面を面一とし、かつ、覆い片１５を外側に突出させた状態で設けている。
【００３９】
この防水長靴１０も、血流活性化ブロック１１のはたらきによって血行を促進するので、足の動きが活発化され、作業に支障を来すことがない。また、足が暖まり、健康上も好ましい。また、靴下部１３を突出させることなく面一としているので、突出部分が足に当たることがなく、履き心地に優れる。
【００４０】
なお、この防水長靴１０も第一実施形態のものと同様に、足金型１に装着し、熱加硫成形によって成形するが、それに先立ち、血流活性化ブロック１１を、長靴本体部１２の外面に配置し、その外側から覆い片１５を被せて貼着する。これにより、靴下部１３の内面は面一に形成される。
【００４１】
本発明に係る防水長靴１０の第三実施形態を、図１および図４に示す。この防水長靴１０も、泥水中での作業において着用するものであり、ゴムや塩ビなどの軟質高分子材料で形成した長靴本体部１２の内面に、メリヤス製の靴下部１３を設けると共に、上端部に伸縮性素材で形成した緊締部１４を設けて構成している。
【００４２】
また、そのふくらはぎ部１７及び足首部１８に、複数の血流活性化ブロック１１を、靴下部１３の内面と当該内面に設ける柔軟材製の被せ片１６との間に、当該被せ片１６の内面を面一とし、かつ、靴下部１３および長靴本体部１２を外側に突出させた状態で設けている。被せ片１６は、メリヤス製の布片で形成している。
【００４３】
この防水長靴１０も、血流活性化ブロック１１のはたらきによって足の血行を促進する。また、被せ片１６の内面を突出させることなく面一としているので、足に当たって当該足を傷めるといったことがない。
【００４４】
この防水長靴１０の成形も足金型１を用いて行うが、熱加硫成形に先立ち、靴下部１３の内面に血流活性化ブロック１１を配置し、その内側から被せて接着剤やホットメルトで貼着して血流活性化ブロック１１を固定する。これにより、被せ片１６は靴下部１３の内面と面一となる。
【００４５】
なお、図５に示すように、血流活性化ブロック１１は、長靴本体部１２を熱加硫成形した後に、靴下部１３の内面に取り付けることができる。その場合、足金型１のふくらはぎ部１７及び足首部１８に対応する部分に凸部１ａを設けて熱加硫成形することにより、ふくらはぎ部１７及び足首部１８に取付凹部１３ａを形成することができる。この取付凹部１３ａに血流活性化ブロック１１を貼着等によって固定することで取り付けることができる。なお、この血流活性化ブロック１１の内側に被せ片１６を設ければ、血流活性化ブロック１１が直接足に接することを防げるので、足を傷めることがない。
【００４６】
マイナスイオン及び遠赤外線を放出する，又は磁力を放出する血流活性化ブロック１１は、その形状を円形状に限定されるものではなく、長方形とか楕円状、球状及びその組合せ，又図６に示す如く、隅を丸めた長方形板２０に複数の透孔２１を配置した形状とか、或いは図７に示す如く十字の各先端に優弧部を設けた平板状の形状とか、効果の目的に応じた形状を利用することが出来る。
【００４７】
なお、本発明に係る防水長靴１０は、少なくとも、いわゆる尺４タイプと２尺タイプのものに適用することが出来る。又、ふくらはぎ部の内側にファスナーを配置し、開閉口を設けたいわゆる地下足袋状の防水靴にも適用出来る。
【図面の簡単な説明】
【００４８】
【図１】本発明に係る防水長靴を示すもので、（ａ）は一部断面側面図、（ｂ）は背面図である。
【図２】本発明に係る防水長靴の第一実施形態の成形方法を示すもので、図１のＸ−Ｘ線に相当する断面図である。
【図３】本発明に係る防水長靴の第二実施形態の成形方法を示すもので、図１のＸ−Ｘ線に相当する断面図である。
【図４】本発明に係る防水長靴の第三実施形態の成形方法を示すもので、図１のＸ−Ｘ線に相当する断面図である。
【図５】本発明に係る防水長靴の第三実施形態の他の成形方法を示すもので、図１のＸ−Ｘ線に相当する断面図であり、（ａ）は足金型に嵌着している状態であり、（ｂ）は足金型から外した状態である。
【図６】血流活性化ブロックの他例の斜視図である。
【図７】血流活性化ブロックの更に異なる例の斜視図である。
【符号の説明】
【００４９】
１          足金型
１ａ        凸部
２          締具
１０        防水長靴
１１        血流活性化ブロック
１２        長靴本体部
１３        靴下部
１３ａ      取付凹部
１４        緊締部
１５        覆い片
１６        被せ片
１７        ふくらはぎ部
１８        足首部
１９        履き口部
２０        長方形板
２１        透孔
【図１】
2006297058.tif 000003
【図２】
2006297058.tif 000004
【図３】
2006297058.tif 000005
【図４】
2006297058.tif 000006
【図５】
2006297058.tif 000007
【図６】
2006297058.tif 000008
【図７】
2006297058.tif 000009
【手続補正書】
【提出日】平成18年1月19日(2006.1.19)
【手続補正１】
【補正対象書類名】図面
【補正対象項目名】図１
【補正方法】変更
【補正の内容】
【図１】
2006297058.tif 000010